(57)【要約】【課題】  締結ネジで弾性部材を締結する際に摺動板を用いることにより、締結ネジの回転で弾性部材上面部が締結ネジの座面との摩擦により捻られることなく締結し、部品数を減らすことで組立工程数を軽減し、製造コストを下げる。【解決手段】  ハードディスクユニット(3)が固定された保持板(2)をシャーシ(1)に取り付けるための締結ネジ(6)のネジ頭と、ハードディスクユニット(3)の振動を吸収するための弾性部材(4)との間に、一部に切欠きが形成されたＣ字状を為す摺動板(5)が挿入されている。この摺動板(5)の締結ネジ(6)が貫通する穴は切欠きを含む直線の方向に長い長円状を為しており、その短辺方向の部分で締結ネジ(6)と接触するようにした。【選択図】図１
2010073262.tif 000002
【特許請求の範囲】
【請求項１】
ハードディスクユニットが固定された保持板を、振動を吸収するための弾性部材を介して締結ネジによりシャーシに取り付けるように為された記録再生装置において、
前記締結ネジのネジ頭と前記弾性部材との間に、前記締結ネジが貫通するための穴が形成された摺動板が挿入されており、
前記摺動板は、その一部に切欠きが形成されたＣ字状を為しており、前記摺動板に挿入された締結ネジが、前記切欠きの中心を含む直線と直交する方向において、前記摺動板と接触されることを特徴とする記録再生装置。
【請求項２】
前記摺動板の穴は、前記切欠きの中心を含む直線の方向を長辺方向とし、該直線と直交する方向を転辺方向とした長円状を為すことを特徴とする請求項１に記載の記録再生装置。
【請求項３】
前記弾性部材は、前記保持板が嵌め込まれるための括れ部を有することを特徴とする請求項１に記載の記録再生装置。
【請求項４】
前記締結ネジの端部が、ネジ山が形成されたネジ部とされており、該ネジ部と前記ネジ頭との間はネジ山が形成されない円筒部とされており、
前記摺動板は、前記締結の円筒部と接触することを特徴とする請求項１に記載の記録再生装置。
【請求項５】
ハードディスクユニットの防振支持装置において、
締結ネジと、
前記ハードディスクユニットが固定され、取り付け穴が形成された保持板と、
前記保持板の取り付け穴と対応する位置に設けられ、前記締結ネジが挿入されるネジ穴が設けられたシャーシと、
前記保持板の前記取り付け穴に嵌め込まれる括れ部を有し、前記締結ネジが貫通する貫通穴が設けられた円筒状の弾性部材と、
一部に切欠きが形成されるとともに前記締結ネジが貫通するための穴が形成されたＣ字状の摺動板を備え、
前記締結ネジを、前記摺動板の穴、及び前記保持板の取り付け穴に嵌め込まれた前記弾性部材の貫通穴を通して前記シャーシのネジ穴に締め付けることにより前記保持板が前記シャーシに取り付けられ、
前記摺動板の穴の、前記切欠きの中心を含む直線と直交する方向の寸法が、前記締結ネジの外径よりも小さいことを特徴とする防振支持装置。
【請求項６】
前記摺動板の穴は、前記切欠きの中心を含む直線の方向を長手方向とし、該直線と直交する方向を短手方向とした長円状を為すことを特徴とする請求項５に記載の防振支持装置。
【請求項７】
前記締結ネジの一端がネジ頭、他端がネジ山を有するネジ部とされており、該ネジ部と前記ネジ頭との間はネジ山が形成されない円筒部とされており、
前記摺動板の穴の、前記切欠きの中心を含む直線と直交する方向の寸法が、前記締結ネジの前記円筒部の外径よりも小さいことを特徴とする請求項５に記載の防振支持装置。
【発明の詳細な説明】
【技術分野】
【０００１】
本発明は、ハードディスクドライブ（Hard Disc Drive、ＨＤＤ）内蔵テレビジョン受信機やＤＶＤ−ＨＤＤレコーダなどのハードディスクユニットを搭載した記録再生装置、及びそれを支持するための防振支持装置に関するものである。
【背景技術】
【０００２】
ＨＤＤ内蔵テレビジョン受信機やＤＶＤ−ＨＤＤレコーダなどに搭載されているハードディスクユニットは、外部からの振動や衝撃に対して弱いという問題がある。よって、従来の装置においては、下記特許文献１や特許文献２に記載されているように、ハードディスクユニットとそれを取り付けるシャーシの間に防振用の弾性部材を配置し締結ネジにより固定し、外部からの振動、衝撃を緩和している。
【０００３】
【特許文献１】特開２００１-３４４９５４号公報
【特許文献２】特開２００４-１９７７８７号公報
【発明の開示】
【発明が解決しようとする課題】
【０００４】
上記特許文献１に記載されている構成では締結ネジを締め付ける際に締結ネジの回転により、弾性部材上面部が締結ネジの頭部との摩擦により捻られることになり、圧縮、捻れを同時に受けた状態で使用すると弾性部材表面にクラックが発生し、性能劣化が発生する可能性がある。特許文献１は、かかる点についての考慮は充分にされていなかった。
【０００５】
上記特許文献２は上記問題を解決するために、弾性部材上面部に押圧板を配置し、締結ネジを締め付ける際に押圧板が回転しないように治具板を用いたものである。このとき、シャーシに対してハードディスクユニットや弾性部材などの部材が配置された面とは逆側から締結ネジを締め付けているため、組立性に関して従来充分に考慮されていなかった。
【０００６】
本発明は上記課題に鑑みて為されたものであり、締結ネジを締め付けても弾性部材が捻れることなく、組立性のよいハードディスクユニットの防振支持装置とそれを用いた記録再生装置を提供することを目的とする。また本発明は、振動に対する耐性を高めた信頼性の高い記録再生装置を提供することを目的とする。
【課題を解決するための手段】
【０００７】
上記目的を達成するために、本発明は、ハードディスクユニットが固定された保持板をシャーシに取り付けるための締結ネジのネジ頭と、ハードディスクユニットの振動を吸収するための弾性部材との間に、一部に切欠きが形成されたＣ字状を為す摺動板を挿入し、この締結ネジの、切欠きの中心を含む直線と直交する方向の寸法を、締結ネジの外径よりも小さくしたことを特徴とするものである。
【発明の効果】
【０００８】
本発明によれば、締結ネジの頭部と弾性部材の間に摺動板を配置することにより、締結ネジを締め付ける際に、締結ネジの頭部と弾性部材との間の摩擦により弾性部材が捻られる事なく、また、シャーシに対して一方向から全ての部品を組み立てられるため組立性を向上させることができる。また本発明によれば、振動に対する耐性を高めた信頼性の高い記録再生装置を提供できる。
【発明を実施するための最良の形態】
【０００９】
以下、図面を参照しながら、本発明の実施の形態について説明する。なお、全図において、共通な機能を有する構成要素には同一符号を付して示す。
【００１０】
まず、本発明が適用される記録再生装置について図８を参照しつつ説明する。図８は、本実施例に係る記録再生装置のハードウェア構成の一例を示すものであり、ここではハードディスクユニットを内蔵したテレビジョン受像機を例として示している。
【００１１】
本実施形態の記録再生装置１００では、外部入力（１，２，…，Ｎ）１０またはアナログチューナ１１からの映像・音声をスイッチ２０を介して、選択的にＭＰＥＧエンコーダ３０に導き、映像・音声ストリームデータを生成する。そして、ＭＰＥＧエンコーダ３０、または、デジタルチューナ１２からの映像・音声ストリームデータを、他のスイッチ２１を介して、選択的に、例えばＲＡＭで構成される３５に一時的に格納される。このバッファメモリ３５は、例えば４Ｍバイト程度の記憶容量を有している。そしてバッファメモリ３５は、ＨＤＤ制御部５０からのコマンドによって所定サイズ単位（例えば１．５Ｍバイト）で読み出されてハードディスクユニットに搭載されたＨＤＤ（ハードディスクドライブ）６０に、ファイルとして記録される。ＨＤＤ６０は、録画再生装置１００に内蔵されたものでもよいし、カートリッジタイプのリムーバブルＨＤＤでもよい。ＲＡＭ７０は、制御部４０と接続され、制御部４０で使用されるデータやプログラムを保持する。このＲＡＭ７０は、上記のバッファメモリ３５と一体化させてもよい（すなわち、一つのＲＡＭで、バッファメモリ３５の機能とＲＡＭ７０の機能を兼用させてもよい）。ＲＯＭ７１は、制御部４０と接続され、制御部４０で使用されるファームウェアや制御プログラムなどのプログラムを記憶する読み出し専用の記憶装置である。
【００１２】
一方、ＨＤＤ６０へ記録された映像・音声ストリームデータのファイルを再生するときには、ＨＤＤ制御部５０の制御によって、ＨＤＤ６０から映像・音声ストリームデータを読み出して一旦バッファメモリ３５に格納する。そしてＨＤＤ制御部５０の制御によって、所定サイズのデータ（例えば３０または６０フレーム分のデータ）がバッファメモリ３５から読み出され、ＭＰＥＧデコーダ３１において復号化され、所定のフォーマットに変換された後、その表示部８０に出力されて表示される。表示部８０は、例えば、フラットパネルディスプレイ（ＦＰＤ）であり、液晶ディスプレイ（ＬＣＤ）パネルまたはプラズマディスプレイパネル（ＰＤＰ）を用いて構成される。
【００１３】
なお、これらＨＤＤ制御部５０は、ＣＰＵにより構成される制御部４０により制御される。また、ユーザが録画・再生、また、ファイルの削除を指示するときには、リモコン９０または図示していない装置本体のフロントパネルのボタンを押下することによりおこなう。
【００１４】
このような構成の記録再生装置に適用される、本実施例に係るハードディスクユニットの防振支持装置に係る実施例について以下に説明する。
【実施例１】
【００１５】
図１は本発明の一実施例に係る防振支持装置の分解組立図である。１はシャーシ、２は保持板、３はハードディスクユニット、４は弾性部材、５は摺動板、６は締結ネジである。ハードディスクユニット３は保持板２に図示しないネジなどにより固定されている。保持板２には取り付け穴２ａが４箇所設けられており、シャーシ１においては、取り付け穴２ａに対応する位置に締結用ネジ穴１ａが設けられている。
【００１６】
図２は図１の分解組立図に示す防振支持装置の組立後のＡ−Ａ矢視断面図である。説明のため、図中左側の締結ネジ６部においては、締結ネジ６を締め付ける前の状態を示す。締結ネジを締め付けた後の状態は、図中右側の締結ネジ６部と同様になる。
【００１７】
弾性部材４は、外部からの振動（例えばＴＶにおいてはスピーカからの低音出力に伴う振動）をハードディスクユニット３に伝わらないように、当該振動を吸収するための弾性体で構成されており、その中心に貫通穴４ｂを有し、また、中央部近傍に括れ４ａを持った略円筒形の形状である。該弾性部材４を図に示すように保持板２の取り付け穴２ａに嵌挿する。このとき、弾性部材４の外径が取り付け穴２ａより大きいが、弾性部材４には貫通穴４ｂが設けてあり、さらに弾性体で構成されているため、当該弾性部材４を変形させることで取り付け穴２ａに弾性部材４を嵌挿することが出来る。締結ネジ６は、ネジ山がないストレート部である円筒部６ａと、ネジ山が形成された完全ネジ部６ｂおよびネジ頭部６ｃからなる。すなわち、本実施例に係る締結ネジ６は、その一端がネジ頭部６ｃ、他端が完全ネジ部６ｂ、該ネジ頭部６ｃと完全ネジ部６ｂとの間が円筒部６ａと為っている。図に示すように円筒部６ａ部に摺動板５を装着し、この状態で、締結ネジ６を弾性部材４の貫通穴４ｂに挿入し、これをドライバーなどによりシャーシ１の取り付け穴２ａに締め付けることで、ハードディスクユニット３が、弾性部材４を介してシャーシ１に固定保持される。
【００１８】
図３は弾性部材４の側面図である。弾性部材４は、例えばブチルゴムで構成され、弾性を持った部材である。形状は上記したように中心に締結ネジ６が貫通される貫通穴４ｂを有し、中央部近傍に括れ４ａを持った略円筒形である。かかる貫通穴４ｂは、例えば外径Ｄ４１は１０ｍｍ、貫通穴４ｂの内径Ｄ４２は５.３ｍｍ、高さＬ４４は６ｍｍ、括れ４ａ部の径Ｄ４３は８.３ｍｍであり、その幅Ｌ４５は１ｍｍである。一方、保持板２の厚さは１ｍｍ、取り付け穴２ａは径８.３ｍｍの丸穴であり、それぞれ弾性部材４の括れ４ｂ部の長さＬ４２、径Ｄ４３と同一とすることにより、ちょうど弾性部材４の括れ４ａが保持板２の取り付け穴２ａに係合するようにしている。
【００１９】
次に、摺動板５、締結ネジ６の詳細形状について説明する。
【００２０】
図４は摺動板５の上面図である。摺動板５の材質は、例えばポリエステルであり、締結ネジ６などの金属に対しての摩擦係数は低い。厚さは０.１９ｍｍであり、容易に変形できるようにしている。摺動板５の形状は、図４に示すように外径（Ｄ５４）が１０ｍｍの円形であり、中心部に長辺（Ｌ５１）５ｍｍ、短辺（Ｌ５２）４．４５ｍｍの寸法を有する締結ネジ６が貫通される長丸穴５ａが空いている。長丸穴５ａの短辺の片側には切欠き部５ｂが設けられており、Ｃ字状に形成される。その切欠き部５ｂの幅Ｌ５３は１．５ｍｍである。すなわち、摺動板５に形成された長丸穴５ａは、切欠き部５ｂの中心及び長丸穴５ａの中心を通る直線Ｌａの方向の寸法Ｌ５１に比べ、その直線Ｌａと直交する直線Ｌｂ方向の寸法が小さくされている。ここで、摺動板５の外径（Ｄ５４）は、弾性部材４の外径（Ｄ４１）に合わせている。
【００２１】
図５は締結ネジ６の側面図を示している。締結ネジ６は、上記したようにネジ山がない円筒部６ａと完全ネジ部６ｂおよびネジ頭部６ｃからなる。円筒部６ａの外径（Ｄ６１）は４.５ｍｍであり、その長さ（Ｌ６３）は５.６ｍｍである。また完全ネジ部６ｂはＭ３で長さ（Ｌ６４）は５.５ｍｍである。頭部６ｃの外径は１０ｍｍである。
【００２２】
円筒部６ａの外径（Ｄ６１）は弾性部材４の貫通穴４ｂの内径（Ｄ４２）より小さくしている。これは、締結ネジ６を締め付ける際に、円筒部６ａと貫通穴４ｂが接触して、摩擦により弾性部材４が回転しないようにするためである。
【００２３】
また、円筒部６ａの長さ（Ｌ６３）は、弾性部材４の高さ（Ｌ４４）と摺動板４の厚さの合計よりも小さくしている。
【００２４】
次に、摺動板５の長丸穴５ａと締結ネジ６の関係を詳細に説明する。
【００２５】
本実施例においては、摺動板５の長丸穴５ａの短辺Ｌ５２と、締結ネジ６の円筒部６ａの外径Ｄ６１とは、下記式１の関係を満たしている。
【００２６】
Ｌ５２＜Ｄ６１      ・・・（式１）
すなわち、本実施例では、摺動板５が締結ネジ６に嵌め込まれたときに、摺動板５は、切欠き部５ｂの中心切欠き部５ｂの中心及び長丸穴５ａの中心を通る直線Ｌａと直交する直線Ｌｂの方向の部分において、締結ネジ６の円筒部６ａと接触している。当該部分以外では、摺動板５は締結ネジ６の円筒部６ａと接触しないようにされている。これにより、摺動板５の長穴５ａに締結ネジ６を挿入した場合、摺動板５が少し広げられ、この摺動板５が元に形状に戻ろうとする力で、締結ネジ６の円筒部６ａを締め付けるため、容易に摺動板５が外れることはない。
【００２７】
すなわち、保持板２の取り付け穴２ａに係合した弾性部材４に、摺動板５を取り付けた状態の締結ネジ６を弾性部材４の貫通穴４ｂに挿入して締め付ける際に、図２のように、締結ネジ６の完全ネジ部６ｂを下に向けても、摺動板５の自重により脱落することがない。
【００２８】
以上のように構成された防振支持装置における作用、機能について以下に説明をする。締結ネジ６と摺動板５を係合し、シャーシ１に対して保持板２と係合した弾性部材４を介して締め付けを行うと、弾性部材４は締結ネジ６の円筒部６ａの長さ（Ｌ６３）５.６ｍｍまで圧縮され、結果、弾性部材４は外部からの衝撃や振動を吸収することができる。
【００２９】
また、締結ネジ６と摺動板５を係合すると摺動板５の元の形状に戻ろうとする力が働き、取り付けの際に締結ネジ６から脱落することが無くなり、また最終締め付けの段階で締結ネジ６の回転でネジ頭部６ｃと摺動板５が滑るため、弾性部材４の上面部が締結ネジ６の頭部６ｃとの摩擦により捻りを加えることなく弾性部材を圧縮のみさせて、保持板２とシャーシ１を締結することができる。さらに組立時に治具等を必要とせず、また、全ての部品を一方向から組み立てられることから、組立性を向上させることができる。
【００３０】
図６は締結ネジ６の円筒部６ａと摺動板５の係合状態の断面図である。摺動板５は締結ネジ６の円筒部６ａが接触部分５ｃ、５ｄと接触しており常に矢印５ｇ、５ｈの力が働いている為、脱落することが無い。また非接触部分５ｅ、５ｆは締結ネジ６の円筒部６ａと接触させない形状とし、摺動の妨げにならないようにしている。
【００３１】
このように本実施例によれば、ハードディスクユニットを取り付ける際に作業性が向上することができ、コスト低減の効果を奏することもできる。また、本実施例では、ハードディスクユニットを取り付ける際に、締結ネジ６の締め付けによって弾性部材４がその円周方向に捻られて変形されることが防止できるため、ハードディスクユニットの取り付け後における弾性部材４の経時的劣化を抑制し、弾性部材４の弾性を比較的長時間維持することができる。よって、本実施例に係るハードディスクユニットの取り付け構造を適用した記録再生装置は、振動に対する耐性が向上され、信頼性を高めることが可能となる。
【実施例２】
【００３２】
図７は本発明の第２の実施例に係る防振支持装置の分解組立図である。
【００３３】
上記第１の実施例と同じ機能、作用を有する部品には同じ番号を付し、説明は省略する。７はハードディスクホルダ、８はリムーバブルハードディスクユニットである。
【００３４】
リムーバブルハードディスク８はハードディスクドライブを内部に配置し、接続コネクタ（図示せず）を外部に露出させたものである。ハードディスクホルダ７には、挿入口７ａが設けられており、挿入口７ａから矢印方向に前記リムーバブルハードディスク８を挿入し、ハードディスクホルダ７の所定位置に装着されるようになっている。このとき、ハードディスクホルダ７の内部に設けた接続コネクタ（図示せず）と前記リムーバブルハードディスク８の接続コネクタが係合され、リムーバブルハードディスク８内のハードディスクドライブが使用可能となる。このとき、リムーバブルハードディスク８はハードディスクホルダ７に固定保持されるようになっている。
【００３５】
ハードディスクホルダ７は、保持板２に図示しないネジなどにより固定されており、保持板２は弾性部材４を介してシャーシ１に固定保持している。保持部材２をシャーシ１に取り付ける構成については、実施例１と同じであるため、説明は省略する。
【００３６】
上記構成とすることにより、脱着可能なリムーバブルハードディスク８においても、実施例１と同様の効果を得ることができる。
【００３７】
また、以上の説明では摺動板５の外形は円形としているが弾性部材の弾性部材上面部の一部もしくはすべてを覆う大きさであれば多角形状でも同様な効果を得ることができる。
【００３８】
また、以上の説明では摺動板５の切欠き部５cの幅は、ネジ円筒部の径より小さければよく、上述した実施例の数値に限定されるものではなく、その他の寸法についても同様である。
【００３９】
また、以上の説明では摺動板５の長丸穴５ａの短辺（Ｌ５２）は締結ネジ６の円筒部６ａの外径（Ｄ６１）に対して０〜１０%小さい形状であれば同様の効果を得る。
【００４０】
また、以上の説明では摺動板５の材質をポリエステル、厚さを０.１９ｍｍとしているが締結ネジとの摩擦係数が小さく、塑性変形を起こさない厚みの材質であれば同様の効果を得られることは言うまでもない。
【００４１】
以上説明した本実施形態に係る防振支持装置は、ＨＤＤ内蔵型のテレビジョン受像機や、ＨＤＤレコーダ、ＨＤＤ−ＤＶＤレコーダ等の記録再生装置に適用されるものである。すなわち、本実施形態に係る防振支持装置を記録再生装置に適用することにより、防振性に優れた信頼性の高い記録再生装置を提供することができる。
【図面の簡単な説明】
【００４２】
【図１】本発明の防振支持装置の実施例１を示す分解組立図
【図２】図１のＡ-Ａ矢視断面図
【図３】弾性部材の説明図
【図４】本発明の摺動板の説明図
【図５】締結ネジの説明図
【図６】摺動板と締結ネジの説明図
【図７】本発明の防振支持装置の実施例２を示す分解組立図
【図８】本発明の防振支持装置が適用される記録再生装置の機能ブロックの一例を示す図
【符号の説明】
【００４３】
１…シャーシ、１ａ…締結用ネジ穴、２…保持板、２ａ…取り付け穴、３…ハードディスクユニット、４…弾性部材、４ａ…括れ部、４ｂ…貫通穴、５…摺動板、５ａ…長丸穴、５ｂ…切欠き部、５ｃ、５ｄ…接触部分、５ｅ、５ｆ…非接触部分、５ｇ…押し付け方向、５ｈ…押し付け方向、６…締結ネジ、６ａ…円筒部、６ｂ…完全ネジ部、６ｃ…ネジ頭部、７…ハードディスクホルダ、７ａ…挿入口、８…リムーバブルハードディスク。
【図１】
2010073262.tif 000003
【図２】
2010073262.tif 000004
【図３】
2010073262.tif 000005
【図４】
2010073262.tif 000006
【図５】
2010073262.tif 000007
【図６】
2010073262.tif 000008
【図７】
2010073262.tif 000009
【図８】
2010073262.tif 000010